(57)【特許請求の範囲】
【請求項１】
所定の制御条件信号の入力に基づいて時素を演算処理して所定の動作時素を算出し、その所定の動作時素の経過時に出力する論理部と、前記論理部からの出力に基づいて出力リレーを駆動するリレードライバとを有する動作時素リレーにおいて、
前記論理部と前記リレードライバに駆動電源を供給するための電源部を、前記制御条件信号を入力して同一の駆動電源を供給する一つの電源部とし、
前記電源部から前記論理部と前記リレードライバに供給する駆動電源の電圧低下を検出する電源電圧低下検出部を備え、
前記電源電圧低下検出部は前記駆動電源の電圧低下を検出したとき前記論理部にリセット信号を与えることを特徴とする動作時素リレー。
【発明の詳細な説明】
【０００１】
【発明の属する技術分野】
本発明は、例えば、鉄道信号の分野等で使用される動作時素リレーに関する。
【０００２】
【従来の技術】
図３は、従来の動作時素リレーの概略構成を示すブロック図である。この従来の動作時素リレーａ′は、列車検知信号等の所定の信号に基づいて生成された制御条件信号が、変圧器及び平滑回路等からなる論理部用電源部１０を介してＣＰＵを中心に形成された論理部１１に入力されるように構成されている。
【０００３】
論理部１１は、制御条件信号が入力されたことを条件に、または、必要に応じて制御条件信号を検出する制御条件検出部１２がその制御条件信号を検出したことを条件に、時素をデジタルに演算処理し、算出された所定の動作時素（設定時素）Ｔ経過後に、リレードライバ１３を介して出力リレー１４を駆動制御するように構成されている。
【０００４】
上記リレードライバ１３は、上述の制御条件信号を駆動電源として、または、その制御条件信号を平滑回路等から形成されるリレードライバ用電源部１５により調整して得られた電源を駆動電源として駆動されるように構成されている。
【０００５】
したがって、出力リレー１４は、図４のタイムチャートに示されるように、制御条件信号が動作時素リレーａ′に入力された時点から設定された動作時素Ｔ後に、出力を開始し、その制御条件信号が動作時素リレーａ′に入力されなくなるまで出力状態を継続することができる。
【０００６】
図３中、１６は、論理部用電源電圧低下検出部であって、論理部１１の駆動電源の電圧を監視できるように構成されているとともに、その駆動電源の電圧が所定値以下になったとき、論理部１１をリセット処理できるように構成されている。
【０００７】
【発明が解決しようとする課題】
しかしながら、上記従来の動作時素リレーａ′は、論理部１１とリレードライバ１３とが別個に駆動電源を有しているので、リレードライバ用の電源電圧が論理部を駆動停止させない範囲で一時的に低下したとき、所定の設定された動作時素Ｔ以内で復旧し、その所定の動作時素Ｔを確保できない不都合があった。
【０００８】
図５のタイムチャートを参照してさらに説明すると、リレードライバ１３の駆動電源が出力リレー１４の出力を維持できない範囲で低下すると、出力リレー１４は落下（ＯＦＦ）して、制御条件信号が動作時素リレーａ′に制御条件信号が入力されなくなったことと同じこととなり、出力リレー１４はＯＦＦとなる。
【０００９】
ところが、リレードライバ電源が設定された所定の動作時素Ｔよりも短い時間（図５の設定時素Ｔ′参照）で復旧すると、出力リレー１４は、所定の設定された動作時素Ｔを経過することなく扛上（ＯＮ）し（図５のイ参照）、所定の設定された動作時素Ｔを確保できなくなる不都合が発生してしまう。
【００１０】
そこで、本発明は、上記不都合を解決するためになされたものであって、その目的は、リレードライバ電源電圧に一時的な低下があっても、所定の動作時素Ｔを確保することのできる動作時素リレーを提供することにある。
【００１１】
【課題を解決するための手段】
本発明に係る動作時素リレーは、上記目的を達成するために、所定の制御条件信号の入力に基づいて時素を演算処理して所定の動作時素を算出し、その所定の動作時素の経過時に出力する論理部と、出力リレーと、前記論理部からの出力に基づいて前記出力リレーを駆動するリレードライバとを有する動作時素リレーにおいて、前記論理部と前記リレードライバに駆動電源を供給するための電源部を、前記制御条件信号を入力して同一の駆動電源を供給する一つの電源部とし、前記電源部から前記論理部と前記リレードライバに供給する駆動電源の電圧低下を検出する電源電圧低下検出部を備え、前記電源電圧低下検出部は前記駆動電源の電圧低下を検出したとき前記論理部にリセット信号を与えることを特徴としている。
【００１２】
【発明の実施の形態】
図１は、本発明の一実施の形態に係る動作時素リレーの概略構成を示すブロック図である。この動作時素リレーａは、列車検知信号等の所定の信号に基づいて生成された制御条件信号が、変圧器及び平滑回路等からなる電源部１を介してＣＰＵを中心に形成された論理部２、及びリレードライバ３に駆動電源を供給できるように構成されている。
【００１３】
論理部２は、制御条件信号を検出する制御条件検出部４がその制御条件信号を検出したことを条件に時素（時間）をデジタルに演算処理し、算出された所定の動作時素Ｔ経過後に、リレードライバ３を介して出力リレー４を駆動制御するように構成されている。
【００１４】
論理部２及びリレードライバ３は、制御条件信号を変圧器及び平滑回路等から構成される電源部１で調整して得られた電源を駆動電源として駆動されるように構成されている。
【００１５】
したがって、出力リレー５は、上記図４のタイムチャートに示されるように、制御条件信号が動作時素リレーａに入力した時点から所定の設定された動作時素（設定時素）Ｔ経過後に出力を開始し、その制御条件信号が動作時素リレーａに入力されなくなるまで出力状態を継続することができる。
【００１６】
図１中、６は、電源電圧低下検出部であって、論理部２の駆動電源の電圧を監視できるように構成されているとともに、その電圧が所定値以下になったとき、論理部２をリセット処理できるように構成されている。
【００１７】
図２は、電源部１の電圧が制御条件検出部４を停止させない範囲で、かつ、電源電圧低下検出部６で電圧低下が検出される範囲で一時的に低下したときのタイムチャートである。
【００１８】
電源部１は、制御条件信号を入力して論理部２及びリレードライバ３の駆動電源を生成しているので、その制御条件信号が何等かの原因で上述した範囲で一時的に低下すると、電源電圧低下検出部６が電圧低下を検出し、電源電圧低下検出部６から出力されるリセット信号で論理部２はリセットされ、その電圧低下中、リセット状態が保持される。
【００１９】
電源部１の電圧が低下することは、制御条件信号が動作時素リレーａに入力されないことと同じなので、論理部２は、リレードライバ３をＯＦＦするように制御し、したがって、出力リレー５はＯＦＦとされる。
【００２０】
制御条件信号の電圧が正常に復帰することにより、電源部１の電圧が電源電圧低下検出部６の検出電圧以上に復旧すると、論理部２における時素の演算処理が開始される。すなわち、論理部２は、動作時素リレーａが制御条件信号を新たに受信したと同様に作用して時素の演算処理を開始し、所定の動作時素Ｔの経過時にリレードライバ３をＯＮとするように作用し（図２のイ参照）、出力リレー５がＯＮとされる。
【００２１】
したがって、出力リレー５のＯＦＦの見かけ上の設定時素Ｔ′（図２参照）は、所定の設定時素Ｔよりも短くなることがなく、所定の動作時素（設定時素）Ｔを、常時、確保することができる。
【００２２】
なお、上述の例では、論理部２は、制御条件検出部４が制御条件信号を検出したときに駆動されるように構成されているが、制御条件検出部４を省略して、電線部１から電源を受けたときに駆動されるようにしてもよい。
【００２３】
【発明の効果】
本発明に係る動作時素リレーは、所定の制御条件信号の入力に基づいて時素を演算処理して所定の動作時素を算出し、その所定の動作時素の経過時に出力する論理部と、出力リレーと、前記論理部からの出力に基づいて前記出力リレーを駆動するリレードライバとを有する動作時素リレーにおいて、前記論理部と前記リレードライバに駆動電源を供給するための電源部を、前記制御条件信号を入力して同一の駆動電源を供給する一つの電源部とし、前記電源部から前記論理部と前記リレードライバに供給する駆動電源の電圧低下を検出する電源電圧低下検出部を備え、前記電源電圧低下検出部は前記駆動電源の電圧低下を検出したとき前記論理部にリセット信号を与えるので、論理部及びリレードライバの電源電圧に変動があっても、少なくとも所定の動作時素を確保することができる。
【図面の簡単な説明】
【図１】  本発明の一実施の形態に係る動作時素リレーの概略構成を示すブロック図である。
【図２】  出力リレーのタイムチャートである。
【図３】  従来の動作時素リレーの概略構成を示すブロック図である。
【図４】  設定時素Ｔを説明するためのタイムチャートである。
【図５】  出力リレーのタイムチャートである。
【符号の説明】
ａ      動作時素リレー
１      電源部
２      論理部
３      リレードライバ
４      制御条件検出部
５      出力リレー
６      電源電圧低下検出部
【図１】
0004233149.tif 000002
【図２】
0004233149.tif 000003
【図３】
0004233149.tif 000004
【図４】
0004233149.tif 000005
【図５】
0004233149.tif 000006